(57)【要約】【課題】高速ハンドオーバを採用した場合でも、メッセージの送信頻度が増加することを抑えることができるようにする。【解決手段】ユーザ端末は、ターゲットセルの受信電力が第１のしきい値ＴｈＬＯＷ以上となると、ハンドオーバの準備を開始し、ターゲットセルの受信電力が第２のしきい値ＴｈＨＩＧＨ以上となると、ハンドオーバを実行する高速ハンドオーバを行い、タイマにより、ハンドオーバを実行してから所定の待機時間が経過するまで、ハンドオーバを直ちに実行できる即時ハンドオーバ状態を維持するタイミング制御を行い、待機時間が経過すると、即時ハンドオーバ状態を終了する。【選択図】図７
2019110381.tif 000002
【特許請求の範囲】
【請求項１】
ソースセルの基地局装置からターゲットセルの基地局装置に接続先を切り換えるハンドオーバを行う移動端末装置であって、
前記ソースセルの基地局装置および前記ターゲットセルの基地局装置と無線通信を行う通信部と、
前記ターゲットセルの通信品質に関する測定値が第１のしきい値以上となると、ハンドオーバの準備を開始し、前記測定値が第２のしきい値以上となると、ハンドオーバを実行する制御部と、
を備え、
前記制御部は、ハンドオーバを実行してから所定の待機時間が経過するまで、前記ソースセルの基地局装置に対するハンドオーバを直ちに実行できる即時ハンドオーバ状態を維持するタイミング制御を行い、前記待機時間が経過すると、前記即時ハンドオーバ状態を終了し、ハンドオーバの準備を必要とする状態とすることを特徴とする移動端末装置。
【請求項２】
前記制御部は、予め設定された前記待機時間に基づいて、前記タイミング制御を行うことを特徴とする請求項１に記載の移動端末装置。
【請求項３】
前記制御部は、自装置の移動速度、自装置の移動方向、前記ソースセルのセル半径の少なくともいずれかに基づいて設定された前記待機時間に基づいて、前記タイミング制御を行うことを特徴とする請求項１に記載の移動端末装置。
【請求項４】
ソースセルの基地局装置からターゲットセルの基地局装置に接続先を切り換えるハンドオーバを行う移動端末装置であって、
前記ソースセルの基地局装置および前記ターゲットセルの基地局装置と無線通信を行う通信部と、
前記ターゲットセルの通信品質に関する測定値が第１のしきい値以上となると、ハンドオーバの準備を開始し、前記測定値が第２のしきい値以上となると、ハンドオーバを実行する制御部と、
を備え、
前記制御部は、ハンドオーバを実行してから、前記ソースセルの通信品質に関する所定のイベントが発生するまで、前記ソースセルの基地局装置に対するハンドオーバを直ちに実行できる即時ハンドオーバ状態を維持するタイミング制御を行い、前記イベントが発生すると、前記即時ハンドオーバ状態を終了し、ハンドオーバの準備を必要とする状態にするとともに、基地局間インタフェースの解放を指示するメッセージを前記通信部から接続中の前記ターゲットセルの基地局装置に送信することを特徴とする移動端末装置。
【請求項５】
前記制御部は、前記ソースセルの通信品質に関する測定値が第３のしきい値以下となる場合に、前記イベントが発生したものと判定することを特徴とする請求項４に記載の移動端末装置。
【請求項６】
前記制御部は、前記第１のしきい値より低い値に設定された前記第３のしきい値に基づいて、前記イベントが発生したか否かを判定することを特徴とする請求項５に記載の移動端末装置。
【請求項７】
前記制御部は、前記ソースセルの電波を受信できなくなった場合に、前記イベントが発生したものと判定することを特徴とする請求項４に記載の移動端末装置。
【請求項８】
前記制御部は、前記ターゲットセルが前記ソースセルより優先度が低い場合には、前記タイミング制御を行い、前記ターゲットセルが前記ソースセルより優先度が高い場合には、前記タイミング制御を行わないことを特徴とする請求項１または請求項４に記載の移動端末装置。
【請求項９】
ソースセルの基地局装置からターゲットセルの基地局装置に接続先を切り換えるハンドオーバを行う移動端末装置であって、
前記ソースセルの基地局装置および前記ターゲットセルの基地局装置と無線通信を行う通信部と、
前記ターゲットセルの通信品質に関する測定値が第１のしきい値以上となると、ハンドオーバの準備を開始し、前記測定値が第２のしきい値以上となると、ハンドオーバを実行する制御部と、
を備え、
前記制御部は、前記ソースセルの通信品質に関する測定値が、前記第２のしきい値以上であるか否かを判定する事前判定を行い、前記ソースセルの測定値が前記第２のしきい値以上である場合には、前記ターゲットセルの測定値が前記第１のしきい値以上となる場合でも、前記ターゲットセルの基地局装置に対するハンドオーバの準備を開始しないことを特徴とする移動端末装置。
【請求項１０】
前記制御部は、前記ソースセルが前記ターゲットセルより優先度が高い場合には、前記事前判定を行い、前記ソースセルが前記ターゲットセルより優先度が低い場合には、前記事前判定を行わないことを特徴とする請求項９に記載の移動端末装置。
【請求項１１】
前記制御部は、前記ソースセルが高周波数帯の無線通信方式でない場合には、前記事前判定を行い、前記ソースセルが高周波数帯の無線通信方式である場合には、前記事前判定を行わないことを特徴とする請求項９に記載の移動端末装置。
【請求項１２】
前記制御部は、自装置の移動速度が所定速度未満である場合には、前記事前判定を行い、前記自装置の移動速度が前記所定速度以上である場合には、前記事前判定を行わないことを特徴とする請求項９に記載の移動端末装置。
【請求項１３】
前記制御部は、前記ソースセルの測定値が前記第２のしきい値以上となる場合でも、前記ターゲットセルの測定値が前記第２のしきい値以上となる場合には、ハンドオーバの準備を開始できる状態とすることを特徴とする請求項９に記載の移動端末装置。
【請求項１４】
ハンドオーバにより移動端末装置の接続先が他の基地局装置と自装置との間で切り換えられる基地局装置であって、
前記移動端末装置と無線通信を行う第１の通信部と、
前記他の基地局装置と通信を行う第２の通信部と、
自装置をターゲットセルとして前記移動端末装置においてハンドオーバが実行される際に、ソースセルとなる前記他の基地局装置と自装置との間に基地局間インタフェースを確立して前記移動端末装置のハンドオーバを制御する制御部と、
を備え、
前記制御部は、前記移動端末装置においてハンドオーバが実行されてから所定の待機時間が経過するまで、前記基地局間インタフェースの解放を保留するタイミング制御を行い、前記待機時間が経過すると、前記基地局間インタフェースを解放することを特徴とする基地局装置。
【請求項１５】
ハンドオーバにより移動端末装置の接続先が他の基地局装置と自装置との間で切り換えられる基地局装置であって、
前記移動端末装置と無線通信を行う第１の通信部と、
前記他の基地局装置と通信を行う第２の通信部と、
自装置をターゲットセルとして前記移動端末装置においてハンドオーバが実行される際に、ソースセルとなる前記他の基地局装置と自装置との間に基地局間インタフェースを確立して前記移動端末装置のハンドオーバを制御する制御部と、
を備え、
前記制御部は、前記移動端末装置においてハンドオーバが実行されてから、前記ソースセルの通信品質に関する所定のイベントが発生するまで、前記基地局間インタフェースの解放を保留するタイミング制御を行い、前記移動端末装置において前記イベントが発生するのに応じて送信される前記基地局間インタフェースの解放を指示するメッセージを前記第１の通信部で受信すると、前記基地局間インタフェースを解放することを特徴とする基地局装置。
【請求項１６】
前記制御部は、前記移動端末装置のハンドオーバが実行された直後に、前記ソースセルの基地局装置が保持する当該移動端末装置の無線制御に関する処理の停止を指示するメッセージを、前記第２の通信部から前記ソースセルの基地局装置に送信することを特徴とする請求項１４または請求項１５に記載の基地局装置。
【請求項１７】
移動端末装置の接続先をソースセルの基地局装置からターゲットセルの基地局装置に切り換えるハンドオーバを行う通信システムであって、
前記移動端末装置は、
前記ソースセルの基地局装置および前記ターゲットセルの基地局装置と無線通信を行う通信部と、
前記ターゲットセルの通信品質に関する測定値が第１のしきい値以上となると、ハンドオーバの準備を開始し、前記測定値が第２のしきい値以上となると、ハンドオーバを実行する制御部と、
を備え、
前記移動端末装置の前記制御部は、ハンドオーバを実行してから所定の待機時間が経過するまで、前記ソースセルの基地局装置に対するハンドオーバを直ちに実行できる即時ハンドオーバ状態を維持するタイミング制御を行い、前記待機時間が経過すると、前記即時ハンドオーバ状態を終了し、ハンドオーバの準備を必要とする状態とし、
前記ターゲットセルの基地局装置は、
前記移動端末装置と無線通信を行う第１の通信部と、
前記ソースセルの基地局装置と通信を行う第２の通信部と、
前記移動端末装置においてハンドオーバが実行される際に、前記ソースセルの基地局装置と自装置との間に基地局間インタフェースを確立して前記移動端末装置のハンドオーバを制御する制御部と、
を備え、
前記ターゲットセルの基地局装置の前記制御部は、前記移動端末装置においてハンドオーバが実行されてから所定の待機時間が経過するまで、前記基地局間インタフェースの解放を保留するタイミング制御を行い、前記待機時間が経過すると、前記基地局間インタフェースを解放することを特徴とする通信システム。
【請求項１８】
移動端末装置の接続先をソースセルの基地局装置からターゲットセルの基地局装置に切り換えるハンドオーバを行う通信システムであって、
前記移動端末装置は、
前記ソースセルの基地局装置および前記ターゲットセルの基地局装置と無線通信を行う通信部と、
前記ターゲットセルの通信品質に関する測定値が第１のしきい値以上となると、ハンドオーバの準備を開始し、前記測定値が第２のしきい値以上となると、ハンドオーバを実行する制御部と、
を備え、
前記移動端末装置の前記制御部は、ハンドオーバを実行してから、前記ソースセルの通信品質に関する所定のイベントが発生するまで、前記ソースセルの基地局装置に対するハンドオーバを直ちに実行できる即時ハンドオーバ状態を維持するタイミング制御を行い、前記イベントが発生すると、前記即時ハンドオーバ状態を終了し、ハンドオーバの準備を必要とする状態にするとともに、基地局間インタフェースの解放を指示するメッセージを前記通信部から前記ターゲットセルの基地局装置に送信し、
前記ターゲットセルの基地局装置は、
前記移動端末装置と無線通信を行う第１の通信部と、
前記ソースセルの基地局装置と通信を行う第２の通信部と、
前記移動端末装置においてハンドオーバが実行される際に、前記ソースセルの基地局装置と自装置との間に前記基地局間インタフェースを確立して前記移動端末装置のハンドオーバを制御する制御部と、
を備え、
前記ターゲットセルの基地局装置の前記制御部は、前記移動端末装置においてハンドオーバが実行されてから前記イベントが発生するまで、前記基地局間インタフェースの解放を保留するタイミング制御を行い、前記移動端末装置から前記基地局間インタフェースの解放を指示するメッセージを前記第１の通信部で受信すると、前記基地局間インタフェースを解放することを特徴とする通信システム。
【請求項１９】
移動端末装置の接続先をソースセルの基地局装置からターゲットセルの基地局装置に切り換えるハンドオーバを行う通信システムであって、
前記移動端末装置は、
前記ソースセルの基地局装置および前記ターゲットセルの基地局装置と無線通信を行う通信部と、
前記ターゲットセルの通信品質に関する測定値が第１のしきい値以上となると、ハンドオーバの準備を開始し、前記測定値が第２のしきい値以上となると、ハンドオーバを実行する制御部と、
を備え、
前記制御部は、前記ソースセルの通信品質に関する測定値が、前記第２のしきい値以上であるか否かを判定する事前判定を行い、前記ソースセルの測定値が前記第２のしきい値以上である場合には、前記ターゲットセルの測定値が前記第１のしきい値以上となる場合でも、前記ターゲットセルの基地局装置に対するハンドオーバの準備を開始しないことを特徴とする通信システム。
【請求項２０】
移動端末装置の接続先をソースセルの基地局装置からターゲットセルの基地局装置に切り換えるハンドオーバを行う通信制御方法であって、
前記移動端末装置が、
前記ターゲットセルの通信品質に関する測定値が第１のしきい値以上となると、ハンドオーバの準備を開始し、前記測定値が第２のしきい値以上となると、ハンドオーバを実行する高速ハンドオーバ制御を行い、
ハンドオーバを実行してから所定の待機時間が経過するまで、前記ソースセルの基地局装置に対するハンドオーバを直ちに実行できる即時ハンドオーバ状態を維持するタイミング制御を行い、前記待機時間が経過すると、前記即時ハンドオーバ状態を終了し、ハンドオーバの準備を必要とする状態とし、
前記ターゲットセルの基地局装置が、
前記移動端末装置においてハンドオーバが実行される際に、前記ソースセルの基地局装置と自装置との間に基地局間インタフェースを確立して前記移動端末装置のハンドオーバを制御し、
前記移動端末装置においてハンドオーバが実行されてから所定の待機時間が経過するまで、前記基地局間インタフェースの解放を保留するタイミング制御を行い、前記待機時間が経過すると、前記基地局間インタフェースを解放することを特徴とする通信制御方法。
【請求項２１】
移動端末装置の接続先をソースセルの基地局装置からターゲットセルの基地局装置に切り換えるハンドオーバを行う通信制御方法であって、
前記移動端末装置が、
前記ターゲットセルの通信品質に関する測定値が第１のしきい値以上となると、ハンドオーバの準備を開始し、前記測定値が第２のしきい値以上となると、ハンドオーバを実行する高速ハンドオーバ制御を行い、
ハンドオーバを実行してから、前記ソースセルの通信品質に関する所定のイベントが発生するまで、前記ソースセルの基地局装置に対するハンドオーバを直ちに実行できる即時ハンドオーバ状態を維持するタイミング制御を行い、前記イベントが発生すると、前記即時ハンドオーバ状態を終了し、ハンドオーバの準備を必要とする状態にするとともに、基地局間インタフェースの解放を指示するメッセージを前記ターゲットセルの基地局装置に送信し、
前記ターゲットセルの基地局装置が、
前記移動端末装置においてハンドオーバが実行される際に、前記ソースセルの基地局装置と自装置との間に前記基地局間インタフェースを確立して前記移動端末装置のハンドオーバを制御し、
前記移動端末装置においてハンドオーバが実行されてから前記イベントが発生するまで、前記基地局間インタフェースの解放を保留するタイミング制御を行い、前記移動端末装置から前記基地局間インタフェースの解放を指示するメッセージを受信すると、前記基地局間インタフェースを解放することを特徴とする通信制御方法。
【請求項２２】
移動端末装置の接続先をソースセルの基地局装置からターゲットセルの基地局装置に切り換えるハンドオーバを行う通信制御方法であって、
前記移動端末装置が、
前記ターゲットセルの通信品質に関する測定値が第１のしきい値以上となると、ハンドオーバの準備を開始し、前記測定値が第２のしきい値以上となると、ハンドオーバを実行する高速ハンドオーバ制御を行い、
前記高速ハンドオーバ制御の際に、前記ソースセルの通信品質に関する測定値が、前記第２のしきい値以上であるか否かを判定する事前判定を行い、前記ソースセルの測定値が前記第２のしきい値以上である場合には、前記ターゲットセルの測定値が前記第１のしきい値以上となる場合でも、前記ターゲットセルの基地局装置に対するハンドオーバの準備を開始しないことを特徴とする通信制御方法。
【発明の詳細な説明】
【技術分野】
【０００１】
本発明は、ソースセルの基地局装置からターゲットセルの基地局装置に接続先を切り換えるハンドオーバを行う移動端末装置、ハンドオーバにより移動端末装置の接続先が他の基地局装置と自装置との間で切り換えられる基地局装置、移動端末装置の接続先をソースセルの基地局装置からターゲットセルの基地局装置に切り換えるハンドオーバを行う通信システムおよび通信制御方法に関するものである。
【背景技術】
【０００２】
近年、陸上の移動通信の分野において、通信容量の増大や、低遅延通信などを目的として、第５世代移動通信システム（５Ｇ）の策定が進められている。この５Ｇでは、移動局と通信する基地局を切り替えるハンドオーバに関して、高速ハンドオーバ（条件付きハンドオーバ：conditional handover）という新たな手法が提案されている。
【０００３】
この高速ハンドオーバでは、ハンドオーバの準備を開始するタイミングを規定する第１のしきい値と、ハンドオーバを実施するタイミングを規定する第２のしきい値とを設定して、周辺セルの受信電力が第１のしきい値以上となると、ハンドオーバの準備を開始し、受信電力が第２のしきい値以上となると、ハンドオーバを実行するようになっている。
【０００４】
また、ハンドオーバによりユーザ端末の接続先が切り替わる際に、通信が途切れることを避けるため、ハンドオーバ発生確率を計算して、ハンドオーバの発生を予測して、事前にハンドオーバの準備を開始する技術が知られている（特許文献１参照）。
【先行技術文献】
【特許文献】
【０００５】
【特許文献１】特許第４６４２６１３号公報
【発明の概要】
【発明が解決しようとする課題】
【０００６】
さて、前記従来の技術では、ハンドオーバを実行できる状態になる前に、事前にハンドオーバの準備を開始するが、このハンドオーバの準備の過程で、ユーザ端末での通信品質を基地局に報告するためのメッセージが送信されることで、メッセージの送信頻度が増加して、無線通信のリソースが無駄に消費されるという問題があった。また、ハンドオーバの準備の過程で、ハンドオーバ元の基地局とハンドオーバ先の基地局との間でメッセージが送信されることで、メッセージの送信頻度が増加して、基地局間通信のリソースが無駄に消費されるという問題があった。特に、移動端末装置が、ソースセルの基地局装置とターゲットセルの基地局装置の境界に位置するような場合に、両方の基地局装置に対するハンドオーバの準備が繰り返されることで、リソースが無駄に消費されるという問題があった。
【０００７】
そこで、本発明は、高速ハンドオーバを採用した場合でも、メッセージの送信頻度が増加することを抑えることができる移動端末装置、基地局装置、通信システムおよび通信制御方法を提供することを主な目的とする。
【課題を解決するための手段】
【０００８】
本発明の移動端末装置は、ソースセルの基地局装置からターゲットセルの基地局装置に接続先を切り換えるハンドオーバを行う移動端末装置であって、前記ソースセルの基地局装置および前記ターゲットセルの基地局装置と無線通信を行う通信部と、前記ターゲットセルの通信品質に関する測定値が第１のしきい値以上となると、ハンドオーバの準備を開始し、前記測定値が第２のしきい値以上となると、ハンドオーバを実行する制御部と、を備え、前記制御部は、ハンドオーバを実行してから所定の待機時間が経過するまで、前記ソースセルの基地局装置に対するハンドオーバを直ちに実行できる即時ハンドオーバ状態を維持するタイミング制御を行い、前記待機時間が経過すると、前記即時ハンドオーバ状態を終了し、ハンドオーバの準備を必要とする状態とする構成とする。
【０００９】
また、本発明の基地局装置は、ハンドオーバにより移動端末装置の接続先が他の基地局装置と自装置との間で切り換えられる基地局装置であって、前記移動端末装置と無線通信を行う第１の通信部と、前記他の基地局装置と通信を行う第２の通信部と、自装置をターゲットセルとして前記移動端末装置においてハンドオーバが実行される際に、ソースセルとなる前記他の基地局装置と自装置との間に基地局間インタフェースを確立して前記移動端末装置のハンドオーバを制御する制御部と、を備え、前記制御部は、前記移動端末装置においてハンドオーバが実行されてから所定の待機時間が経過するまで、前記基地局間インタフェースの解放を保留するタイミング制御を行い、前記待機時間が経過すると、前記基地局間インタフェースを解放する構成とする。
【００１０】
また、本発明の通信システムは、移動端末装置の接続先をソースセルの基地局装置からターゲットセルの基地局装置に切り換えるハンドオーバを行う通信システムであって、前記移動端末装置は、前記ソースセルの基地局装置および前記ターゲットセルの基地局装置と無線通信を行う通信部と、前記ターゲットセルの通信品質に関する測定値が第１のしきい値以上となると、ハンドオーバの準備を開始し、前記測定値が第２のしきい値以上となると、ハンドオーバを実行する制御部と、を備え、前記移動端末装置の前記制御部は、ハンドオーバを実行してから所定の待機時間が経過するまで、前記ソースセルの基地局装置に対するハンドオーバを直ちに実行できる即時ハンドオーバ状態を維持するタイミング制御を行い、前記待機時間が経過すると、前記即時ハンドオーバ状態を終了し、ハンドオーバの準備を必要とする状態とし、前記ターゲットセルの基地局装置は、前記移動端末装置と無線通信を行う第１の通信部と、前記ソースセルの基地局装置と通信を行う第２の通信部と、前記移動端末装置においてハンドオーバが実行される際に、前記ソースセルの基地局装置と自装置との間に基地局間インタフェースを確立して前記移動端末装置のハンドオーバを制御する制御部と、を備え、前記ターゲットセルの基地局装置の前記制御部は、前記移動端末装置においてハンドオーバが実行されてから所定の待機時間が経過するまで、前記基地局間インタフェースの解放を保留するタイミング制御を行い、前記待機時間が経過すると、前記基地局間インタフェースを解放する構成とする。
【００１１】
また、本発明の通信制御方法は、移動端末装置の接続先をソースセルの基地局装置からターゲットセルの基地局装置に切り換えるハンドオーバを行う通信制御方法であって、前記移動端末装置が、前記ターゲットセルの通信品質に関する測定値が第１のしきい値以上となると、ハンドオーバの準備を開始し、前記測定値が第２のしきい値以上となると、ハンドオーバを実行する高速ハンドオーバ制御を行い、ハンドオーバを実行してから所定の待機時間が経過するまで、前記ソースセルの基地局装置に対するハンドオーバを直ちに実行できる即時ハンドオーバ状態を維持するタイミング制御を行い、前記待機時間が経過すると、前記即時ハンドオーバ状態を終了し、ハンドオーバの準備を必要とする状態とし、前記ターゲットセルの基地局装置が、前記移動端末装置においてハンドオーバが実行される際に、前記ソースセルの基地局装置と自装置との間に基地局間インタフェースを確立して前記移動端末装置のハンドオーバを制御し、前記移動端末装置においてハンドオーバが実行されてから所定の待機時間が経過するまで、前記基地局間インタフェースの解放を保留するタイミング制御を行い、前記待機時間が経過すると、前記基地局間インタフェースを解放する構成とする。
【発明の効果】
【００１２】
本発明によれば、高速ハンドオーバを採用した場合でも、メッセージの送信頻度が増加することを抑えることができる。このため、移動端末装置と基地局装置との間の無線通信のリソースを有効利用することができ、また、基地局間通信のリソースを有効利用することができる。
【図面の簡単な説明】
【００１３】
【図１】第１実施形態に係る通信システムの全体構成図
【図２】高速ハンドオーバを採用した通信システムの状況を示す説明図
【図３】高速ハンドオーバを採用した通信システムの基本的な動作手順を示すシーケンス図
【図４】第１実施形態に係る通信システムの動作手順を示すシーケンス図
【図５】第１実施形態に係るユーザ端末１および基地局２の概略構成を示すブロック図
【図６】ユーザ端末１における高速ハンドオーバの基本的な動作手順を示すフロー図
【図７】第１実施形態に係るユーザ端末１の動作手順を示すフロー図
【図８】第１実施形態に係るターゲットセルの基地局２の動作手順を示すフロー図
【図９】第１実施形態の第１変形例に係るユーザ端末１の動作手順を示すフロー図
【図１０】第１実施形態の第２変形例に係る通信システムの動作手順を示すシーケンス図
【図１１】第２実施形態に係る通信システムの動作手順を示すシーケンス図
【図１２】第２実施形態に係るユーザ端末１および基地局２の概略構成を示すブロック図
【図１３】第２実施形態に係るユーザ端末１の動作手順を示すフロー図
【図１４】第２実施形態に係るターゲットセルの基地局２の動作手順を示すフロー図
【図１５】第３実施形態に係るユーザ端末１および基地局２の概略構成を示すブロック図
【図１６】第３実施形態に係るユーザ端末１の動作手順を示すフロー図
【図１７】第３実施形態の第１変形例に係るユーザ端末１の動作手順を示すフロー図
【図１８】第３実施形態の第２変形例に係るユーザ端末１の動作手順を示すフロー図
【図１９】第３実施形態の第３変形例に係るユーザ端末１の動作手順を示すフロー図
【図２０】第３実施形態の第４変形例に係るユーザ端末１の動作手順を示すフロー図
【発明を実施するための形態】
【００１４】
前記課題を解決するためになされた第１の発明は、ソースセルの基地局装置からターゲットセルの基地局装置に接続先を切り換えるハンドオーバを行う移動端末装置であって、前記ソースセルの基地局装置および前記ターゲットセルの基地局装置と無線通信を行う通信部と、前記ターゲットセルの通信品質に関する測定値が第１のしきい値以上となると、ハンドオーバの準備を開始し、前記測定値が第２のしきい値以上となると、ハンドオーバを実行する制御部と、を備え、前記制御部は、ハンドオーバを実行してから所定の待機時間が経過するまで、前記ソースセルの基地局装置に対するハンドオーバを直ちに実行できる即時ハンドオーバ状態を維持するタイミング制御を行い、前記待機時間が経過すると、前記即時ハンドオーバ状態を終了し、ハンドオーバの準備を必要とする状態とする構成とする。
【００１５】
これによると、ハンドオーバを実行してから所定の待機時間が経過するまで、接続先がソースセルに戻る場合にハンドオーバの準備無しにハンドオーバを即時実行することができる。このため、移動端末装置からの測定報告のメッセージの送信頻度を低減することができる。これにより、移動端末装置と基地局装置との間の無線通信のリソースを有効利用することができる。
【００１６】
また、第２の発明は、前記制御部は、予め設定された前記待機時間に基づいて、前記タイミング制御を行う構成とする。
【００１７】
これによると、タイミング制御を容易に行うことができる。
【００１８】
また、第３の発明は、前記制御部は、自装置の移動速度、自装置の移動方向、前記ソースセルのセル半径の少なくともいずれかに基づいて設定された前記待機時間に基づいて、前記タイミング制御を行う構成とする。
【００１９】
これによると、タイミング制御を適切に行うことができる。
【００２０】
また、第４の発明は、ソースセルの基地局装置からターゲットセルの基地局装置に接続先を切り換えるハンドオーバを行う移動端末装置であって、前記ソースセルの基地局装置および前記ターゲットセルの基地局装置と無線通信を行う通信部と、前記ターゲットセルの通信品質に関する測定値が第１のしきい値以上となると、ハンドオーバの準備を開始し、前記測定値が第２のしきい値以上となると、ハンドオーバを実行する制御部と、を備え、前記制御部は、ハンドオーバを実行してから、前記ソースセルの通信品質に関する所定のイベントが発生するまで、前記ソースセルの基地局装置に対するハンドオーバを直ちに実行できる即時ハンドオーバ状態を維持するタイミング制御を行い、前記イベントが発生すると、前記即時ハンドオーバ状態を終了し、ハンドオーバの準備を必要とする状態にするとともに、基地局間インタフェースの解放を指示するメッセージを前記通信部から接続中の前記ターゲットセルの基地局装置に送信する構成とする。
【００２１】
これによると、ハンドオーバを実行してから所定のイベントが発生するまで、接続先がソースセルに戻る場合にハンドオーバの準備無しにハンドオーバを即時実行することができる。このため、移動端末装置からの測定報告のメッセージの送信頻度を低減することができる。これにより、移動端末装置と基地局装置との間の無線通信のリソースを有効利用することができる。
【００２２】
また、第５の発明は、前記制御部は、前記ソースセルの通信品質に関する測定値が第３のしきい値以下となる場合に、前記イベントが発生したものと判定する構成とする。
【００２３】
これによると、適切なタイミングで即時ハンドオーバ状態を解除することができる。
【００２４】
また、第６の発明は、前記制御部は、前記第１のしきい値より低い値に設定された前記第３のしきい値に基づいて、前記イベントが発生したか否かを判定する構成とする。
【００２５】
これによると、適切なタイミングで即時ハンドオーバ状態を解除することができる。
【００２６】
また、第７の発明は、前記制御部は、前記ソースセルの電波を受信できなくなった場合に、前記イベントが発生したものと判定する構成とする。
【００２７】
これによると、適切なタイミングで即時ハンドオーバ状態を解除することができる。
【００２８】
また、第８の発明は、前記制御部は、前記ターゲットセルが前記ソースセルより優先度が低い場合には、前記タイミング制御を行い、前記ターゲットセルが前記ソースセルより優先度が高い場合には、前記タイミング制御を行わない構成とする。
【００２９】
これによると、ターゲットセルがソースセルより優先度が低い場合には、接続先がソースセルに戻るハンドオーバが発生する確率が高いため、タイミング制御を行うことで、メッセージの送信頻度を低減することができる。
【００３０】
また、第９の発明は、ソースセルの基地局装置からターゲットセルの基地局装置に接続先を切り換えるハンドオーバを行う移動端末装置であって、前記ソースセルの基地局装置および前記ターゲットセルの基地局装置と無線通信を行う通信部と、前記ターゲットセルの通信品質に関する測定値が第１のしきい値以上となると、ハンドオーバの準備を開始し、前記測定値が第２のしきい値以上となると、ハンドオーバを実行する制御部と、を備え、前記制御部は、前記ソースセルの通信品質に関する測定値が、前記第２のしきい値以上であるか否かを判定する事前判定を行い、前記ソースセルの測定値が前記第２のしきい値以上である場合には、前記ターゲットセルの測定値が前記第１のしきい値以上となる場合でも、前記ターゲットセルの基地局装置に対するハンドオーバの準備を開始しない構成とする。
【００３１】
これによると、ターゲットセルの通信品質が所定以上であっても、ソースセルの通信品質が良好である場合には、ターゲットセルへのハンドオーバの準備が開始されない。このため、メッセージの送信頻度を低減することができる。これにより、移動端末装置と基地局装置との間の無線通信のリソースを有効利用することができる。
【００３２】
また、第１０の発明は、前記制御部は、前記ソースセルが前記ターゲットセルより優先度が高い場合には、前記事前判定を行い、前記ソースセルが前記ターゲットセルより優先度が低い場合には、前記事前判定を行わない構成とする。
【００３３】
これによると、セルの優先度に応じて基地局間インタフェースのリソースを有効活用することができる。
【００３４】
また、第１１の発明は、前記制御部は、前記ソースセルが高周波数帯の無線通信方式でない場合には、前記事前判定を行い、前記ソースセルが高周波数帯の無線通信方式である場合には、前記事前判定を行わない構成とする。
【００３５】
これによると、遮蔽による通信の切断が起きやすい高周波数帯の環境でも、円滑にハンドオーバを実行することができる。
【００３６】
また、第１２の発明は、前記制御部は、自装置の移動速度が所定速度未満である場合には、前記事前判定を行い、前記自装置の移動速度が前記所定速度以上である場合には、前記事前判定を行わない構成とする。
【００３７】
これによると、移動端末装置が高速で移動している場合、ハンドオーバが間に合わなくなることを避けることができ、ターゲットセルへのハンドオーバを円滑に行うことができる。
【００３８】
また、第１３の発明は、前記制御部は、前記ソースセルの測定値が前記第２のしきい値以上となる場合でも、前記ターゲットセルの測定値が前記第２のしきい値以上となる場合には、ハンドオーバの準備を開始できる状態とする構成とする。
【００３９】
これによると、通信状況に応じた迅速なハンドオーバを行うことができる。
【００４０】
また、第１４の発明は、ハンドオーバにより移動端末装置の接続先が他の基地局装置と自装置との間で切り換えられる基地局装置であって、前記移動端末装置と無線通信を行う第１の通信部と、前記他の基地局装置と通信を行う第２の通信部と、自装置をターゲットセルとして前記移動端末装置においてハンドオーバが実行される際に、ソースセルとなる前記他の基地局装置と自装置との間に基地局間インタフェースを確立して前記移動端末装置のハンドオーバを制御する制御部と、を備え、前記制御部は、前記移動端末装置においてハンドオーバが実行されてから所定の待機時間が経過するまで、前記基地局間インタフェースの解放を保留するタイミング制御を行い、前記待機時間が経過すると、前記基地局間インタフェースを解放する構成とする。
【００４１】
これによると、移動端末装置のハンドオーバが実行されてから待機時間が経過するまで、基地局間インタフェースが維持される。このため、ハンドオーバ実行後待機時間内に再度、元のセルへのハンドオーバが発生しても、基地局間インタフェースを確立するためのメッセージが不要となるので、基地局間インタフェースを介したメッセージの送信頻度を低減することができる。これにより、基地局間通信のリソースを有効利用することができる。
【００４２】
また、第１５の発明は、ハンドオーバにより移動端末装置の接続先が他の基地局装置と自装置との間で切り換えられる基地局装置であって、前記移動端末装置と無線通信を行う第１の通信部と、前記他の基地局装置と通信を行う第２の通信部と、自装置をターゲットセルとして前記移動端末装置においてハンドオーバが実行される際に、ソースセルとなる前記他の基地局装置と自装置との間に基地局間インタフェースを確立して前記移動端末装置のハンドオーバを制御する制御部と、を備え、前記制御部は、前記移動端末装置においてハンドオーバが実行されてから、前記ソースセルの通信品質に関する所定のイベントが発生するまで、前記基地局間インタフェースの解放を保留するタイミング制御を行い、前記移動端末装置において前記イベントが発生するのに応じて送信される前記基地局間インタフェースの解放を指示するメッセージを前記第１の通信部で受信すると、前記基地局間インタフェースを解放する構成とする。
【００４３】
これによると、移動端末装置のハンドオーバが実行されてから所定のイベントが発生するまで、基地局間インタフェースが維持される。このため、ハンドオーバ実行後イベント発生前に再度、元のセルへのハンドオーバが発生しても、基地局間インタフェースを確立するためのメッセージが不要となるので、基地局間インタフェースを介したメッセージの送信頻度を低減することができる。これにより、基地局間通信のリソースを有効利用することができる。
【００４４】
また、第１６の発明は、前記制御部は、前記移動端末装置のハンドオーバが実行された直後に、前記ソースセルの基地局装置が保持する当該移動端末装置の無線制御に関する処理の停止を指示するメッセージを、前記第２の通信部から前記ソースセルの基地局装置に送信する構成とする。
【００４５】
これによると、ハンドオーバが実行された直後に、移動端末装置の無線制御に関する処理の停止をソースセル（ハンドオーバ元のセル）の基地局装置に指示するので、ソースセルの基地局装置が、ハンドオーバ後も移動端末装置に余計なメッセージを送信し続けることを避けることができる。
【００４６】
また、第１７の発明は、移動端末装置の接続先をソースセルの基地局装置からターゲットセルの基地局装置に切り換えるハンドオーバを行う通信システムであって、前記移動端末装置は、前記ソースセルの基地局装置および前記ターゲットセルの基地局装置と無線通信を行う通信部と、前記ターゲットセルの通信品質に関する測定値が第１のしきい値以上となると、ハンドオーバの準備を開始し、前記測定値が第２のしきい値以上となると、ハンドオーバを実行する制御部と、を備え、前記移動端末装置の前記制御部は、ハンドオーバを実行してから所定の待機時間が経過するまで、前記ソースセルの基地局装置に対するハンドオーバを直ちに実行できる即時ハンドオーバ状態を維持するタイミング制御を行い、前記待機時間が経過すると、前記即時ハンドオーバ状態を終了し、ハンドオーバの準備を必要とする状態とし、前記ターゲットセルの基地局装置は、前記移動端末装置と無線通信を行う第１の通信部と、前記ソースセルの基地局装置と通信を行う第２の通信部と、前記移動端末装置においてハンドオーバが実行される際に、前記ソースセルの基地局装置と自装置との間に基地局間インタフェースを確立して前記移動端末装置のハンドオーバを制御する制御部と、を備え、前記ターゲットセルの基地局装置の前記制御部は、前記移動端末装置においてハンドオーバが実行されてから所定の待機時間が経過するまで、前記基地局間インタフェースの解放を保留するタイミング制御を行い、前記待機時間が経過すると、前記基地局間インタフェースを解放する構成とする。
【００４７】
これによると、第１，第１４の発明と同様に、高速ハンドオーバを採用した場合でも、メッセージの送信頻度が増加することを抑えることができる。
【００４８】
また、第１８の発明は、移動端末装置の接続先をソースセルの基地局装置からターゲットセルの基地局装置に切り換えるハンドオーバを行う通信システムであって、前記移動端末装置は、前記ソースセルの基地局装置および前記ターゲットセルの基地局装置と無線通信を行う通信部と、前記ターゲットセルの通信品質に関する測定値が第１のしきい値以上となると、ハンドオーバの準備を開始し、前記測定値が第２のしきい値以上となると、ハンドオーバを実行する制御部と、を備え、前記移動端末装置の前記制御部は、ハンドオーバを実行してから、前記ソースセルの通信品質に関する所定のイベントが発生するまで、前記ソースセルの基地局装置に対するハンドオーバを直ちに実行できる即時ハンドオーバ状態を維持するタイミング制御を行い、前記イベントが発生すると、前記即時ハンドオーバ状態を終了し、ハンドオーバの準備を必要とする状態にするとともに、基地局間インタフェースの解放を指示するメッセージを前記通信部から前記ターゲットセルの基地局装置に送信し、前記ターゲットセルの基地局装置は、前記移動端末装置と無線通信を行う第１の通信部と、前記ソースセルの基地局装置と通信を行う第２の通信部と、前記移動端末装置においてハンドオーバが実行される際に、前記ソースセルの基地局装置と自装置との間に前記基地局間インタフェースを確立して前記移動端末装置のハンドオーバを制御する制御部と、を備え、前記ターゲットセルの基地局装置の前記制御部は、前記移動端末装置においてハンドオーバが実行されてから前記イベントが発生するまで、前記基地局間インタフェースの解放を保留するタイミング制御を行い、前記移動端末装置から前記基地局間インタフェースの解放を指示するメッセージを前記第１の通信部で受信すると、前記基地局間インタフェースを解放する構成とする。
【００４９】
これによると、第４，第１５の発明と同様に、高速ハンドオーバを採用した場合でも、メッセージの送信頻度が増加することを抑えることができる。
【００５０】
また、第１９の発明は、移動端末装置の接続先をソースセルの基地局装置からターゲットセルの基地局装置に切り換えるハンドオーバを行う通信システムであって、前記移動端末装置は、前記ソースセルの基地局装置および前記ターゲットセルの基地局装置と無線通信を行う通信部と、前記ターゲットセルの通信品質に関する測定値が第１のしきい値以上となると、ハンドオーバの準備を開始し、前記測定値が第２のしきい値以上となると、ハンドオーバを実行する制御部と、を備え、前記制御部は、前記ソースセルの通信品質に関する測定値が、前記第２のしきい値以上であるか否かを判定する事前判定を行い、前記ソースセルの測定値が前記第２のしきい値以上である場合には、前記ターゲットセルの測定値が前記第１のしきい値以上となる場合でも、前記ターゲットセルの基地局装置に対するハンドオーバの準備を開始しない構成とする。
【００５１】
これによると、第６の発明と同様に、高速ハンドオーバを採用した場合でも、メッセージの送信頻度が増加することを抑えることができる。
【００５２】
また、第２０の発明は、移動端末装置の接続先をソースセルの基地局装置からターゲットセルの基地局装置に切り換えるハンドオーバを行う通信制御方法であって、前記移動端末装置が、前記ターゲットセルの通信品質に関する測定値が第１のしきい値以上となると、ハンドオーバの準備を開始し、前記測定値が第２のしきい値以上となると、ハンドオーバを実行する高速ハンドオーバ制御を行い、ハンドオーバを実行してから所定の待機時間が経過するまで、前記ソースセルの基地局装置に対するハンドオーバを直ちに実行できる即時ハンドオーバ状態を維持するタイミング制御を行い、前記待機時間が経過すると、前記即時ハンドオーバ状態を終了し、ハンドオーバの準備を必要とする状態とし、前記ターゲットセルの基地局装置が、前記移動端末装置においてハンドオーバが実行される際に、前記ソースセルの基地局装置と自装置との間に基地局間インタフェースを確立して前記移動端末装置のハンドオーバを制御し、前記移動端末装置においてハンドオーバが実行されてから所定の待機時間が経過するまで、前記基地局間インタフェースの解放を保留するタイミング制御を行い、前記待機時間が経過すると、前記基地局間インタフェースを解放する構成とする。
【００５３】
これによると、第１，第１４の発明と同様に、高速ハンドオーバを採用した場合でも、メッセージの送信頻度が増加することを抑えることができる。
【００５４】
また、第２１の発明は、移動端末装置の接続先をソースセルの基地局装置からターゲットセルの基地局装置に切り換えるハンドオーバを行う通信制御方法であって、前記移動端末装置が、前記ターゲットセルの通信品質に関する測定値が第１のしきい値以上となると、ハンドオーバの準備を開始し、前記測定値が第２のしきい値以上となると、ハンドオーバを実行する高速ハンドオーバ制御を行い、ハンドオーバを実行してから、前記ソースセルの通信品質に関する所定のイベントが発生するまで、前記ソースセルの基地局装置に対するハンドオーバを直ちに実行できる即時ハンドオーバ状態を維持するタイミング制御を行い、前記イベントが発生すると、前記即時ハンドオーバ状態を終了し、ハンドオーバの準備を必要とする状態にするとともに、基地局間インタフェースの解放を指示するメッセージを前記ターゲットセルの基地局装置に送信し、前記ターゲットセルの基地局装置が、前記移動端末装置においてハンドオーバが実行される際に、前記ソースセルの基地局装置と自装置との間に前記基地局間インタフェースを確立して前記移動端末装置のハンドオーバを制御し、前記移動端末装置においてハンドオーバが実行されてから前記イベントが発生するまで、前記基地局間インタフェースの解放を保留するタイミング制御を行い、前記移動端末装置から前記基地局間インタフェースの解放を指示するメッセージを受信すると、前記基地局間インタフェースを解放する構成とする。
【００５５】
これによると、第４，第１５の発明と同様に、高速ハンドオーバを採用した場合でも、メッセージの送信頻度が増加することを抑えることができる。
【００５６】
また、第２２の発明は、移動端末装置の接続先をソースセルの基地局装置からターゲットセルの基地局装置に切り換えるハンドオーバを行う通信制御方法であって、前記移動端末装置が、前記ターゲットセルの通信品質に関する測定値が第１のしきい値以上となると、ハンドオーバの準備を開始し、前記測定値が第２のしきい値以上となると、ハンドオーバを実行する高速ハンドオーバ制御を行い、前記高速ハンドオーバ制御の際に、前記ソースセルの通信品質に関する測定値が、前記第２のしきい値以上であるか否かを判定する事前判定を行い、前記ソースセルの測定値が前記第２のしきい値以上である場合には、前記ターゲットセルの測定値が前記第１のしきい値以上となる場合でも、前記ターゲットセルの基地局装置に対するハンドオーバの準備を開始しない構成とする。
【００５７】
これによると、第６の発明と同様に、高速ハンドオーバを採用した場合でも、メッセージの送信頻度が増加することを抑えることができる。
【００５８】
以下、本発明の実施の形態を、図面を参照しながら説明する。
【００５９】
（第１実施形態）
図１は、第１実施形態に係る通信システムの全体構成図である。
【００６０】
この通信システムは、ユーザ端末１（移動端末装置）と、ハンドオーバ元のソースセルの基地局２（基地局装置）と、ハンドオーバ先のターゲットセルの基地局２（基地局装置）と、を備えている。
【００６１】
基地局２は、ユーザ端末１との間で、５Ｇの無線通信方式、いわゆるＮＲ（New Radio）となる高ＳＨＦ帯またはＥＨＦ帯（ミリ波帯）を利用した無線通信を行う。
【００６２】
ソースセルの基地局２とターゲットセルの基地局２との間には、ハンドオーバを円滑に実行するために、制御情報のメッセージをやり取りするＸｎインタフェースが確立され、このＸｎインタフェースにより、例えば、送信済みのパケットのシーケンス番号などの制御情報を、ソースセルの基地局２からターゲットセルの基地局２に通知する。
【００６３】
なお、Ｘｎインタフェースは、５Ｇにおいて、ソースセルの基地局２とターゲットセルの基地局２との間の論理的な伝送路となる基地局間インタフェースであり、本実施形態では、主に基地局２を５ＧのＮＲとして説明するため、基地局間インタフェースをＸｎインタフェースと呼称するが、基地局２をＬＴＥ（Long Term Evolution）としてもよく、この場合、基地局間インタフェースはＸ２インタフェースと呼称される。
【００６４】
次に、高速ハンドオーバについて説明する。図２は、高速ハンドオーバを採用した通信システムの状況を示す説明図である。
【００６５】
本実施形態では、高速ハンドオーバ（Conditional HO）が行われる。この高速ハンドオーバでは、ユーザ端末１において、周辺セルの受信電力が第１のしきい値ＴｈＬＯＷ以上になると、周辺セルへのハンドオーバの準備を開始して、測定報告（Measurement Report）のメッセージを接続中のセル（ソースセル）の基地局２に送信する。接続中のセルの基地局２は、ハンドオーバが即座に行えるように、ハンドオーバ先（ターゲットセル）の基地局２との間で、Ｘｎインタフェースによるハンドオーバ要求（handover request）などのメッセージを交換する。これにより、基地局間でＸｎインタフェースが確立され、ハンドオーバの準備が完了したことになる。そして、ユーザ端末１において、ハンドオーバの準備が完了済みのセルの受信電力が第２のしきい値ＴｈＨＩＧＨ以上になると、ハンドオーバが実行される。
【００６６】
図２に示す例では、図２（Ａ）に示すように、基地局２（GNodeB1）によるソースセル（ハンドオーバ元のセル）において、受信電力Ｐが第２のしきい値ＴｈＨＩＧＨ以上となるエリアに、ユーザ端末１が位置して、ユーザ端末１が基地局２（GNodeB1）と通信を行う。次に、図２（Ｂ）に示すように、ユーザ端末１が移動して、基地局２（GNodeB2）によるターゲットセル（ハンドオーバ先のセル）において、受信電力Ｐが第２のしきい値ＴｈＨＩＧＨ以上となるエリアに、ユーザ端末１が位置すると、ハンドオーバが行われて、ユーザ端末１が基地局２（GNodeB2）と通信を行う。
【００６７】
このとき、ハンドオーバが実行された直後に、ハンドオーバ元のソースセルにおいて、受信電力が、第１のしきい値ＴｈＬＯＷ以上となり、かつ、第２のしきい値ＴｈＨＩＧＨ未満となるエリアに、ユーザ端末１が位置すると、ユーザ端末１では、接続先をソースセルに戻すハンドオーバ、すなわち、元のソースセルをターゲットセルとしたハンドオーバの準備が開始され、ユーザ端末１から測定報告（Measurement Report）のメッセージが送信され、また、Ｘｎインタフェースにより基地局２間でハンドオーバ要求（handover request）などのメッセージの交換が行われる。このため、無線通信や基地局間通信のリソースが無駄に消費される。
【００６８】
そこで、本実施形態では、ユーザ端末１において、基地局２（GNodeB1）から基地局２（GNodeB2）へのハンドオーバを実行してから所定の待機時間が経過するまで、ハンドオーバの準備が完了した状態（即時ハンドオーバ状態）を保つようにする。ユーザ端末１は、この即時ハンドオーバ状態を維持するタイミング制御を行い、ハンドオーバが実行された直後に、ユーザ端末１の接続先をソースセルの基地局２（GNodeB1）に戻すためのハンドオーバの準備が不必要に開始されないようにする。すなわち、基地局２（GNodeB1）の受信電力が第１のしきい値ＴｈＬＯＷ以上となる状態でも、測定報告（Measurement Report）のメッセージが基地局２（GNodeB2）に送信されないようにする。
【００６９】
また、本実施形態では、ターゲットセルの基地局２（GNodeB2）において、ハンドオーバを実行してから所定の待機時間が経過するまで、Ｘｎインタフェースの解放を保留するタイミング制御を行い、ソースセルの基地局２（GNodeB1）との間でハンドオーバの準備のための余計なメッセージが送信されないようにする。
【００７０】
次に、高速ハンドオーバを採用した通信システムの基本的な動作手順について説明する。図３は、高速ハンドオーバを採用した通信システムの基本的な動作手順を示すシーケンス図である。
【００７１】
ユーザ端末１では、周辺セルの通信品質を測定して、第１のしきい値ＴｈＬＯＷを用いて、ハンドオーバの準備を開始するタイミングか否かを判定する第１のイベント判定を行い、周辺セル（ターゲットセル）の受信電力が第１のしきい値ＴｈＬＯＷ以上であると、ハンドオーバの準備を開始して、測定報告（Measurement Report）のメッセージを接続中のソースセルの基地局２に送信する。
【００７２】
ソースセルの基地局２では、ユーザ端末１から測定報告（Measurement Report）のメッセージを受信すると、測定報告に基づくハンドオーバの決定（HO decision based on early report）を行う。そして、ハンドオーバ要求（Early HO Request）のメッセージをターゲットセルの基地局２に送信する。そして、ターゲットセルの基地局２との間のＸｎインタフェースを確立する。
【００７３】
ターゲットセルの基地局２では、ソースセルの基地局２からハンドオーバ要求（Early HO Request）のメッセージを受信すると、ハンドオーバの受付（Accept HO）、およびＲＲＣ（Radio Resource Control）の設定（build RRC config）を行う。そして、ＲＲＣ設定（RRC config）の情報を含むハンドオーバ応答（HO Ack）のメッセージをソースセルの基地局２に送信する。
【００７４】
ソースセルの基地局２では、ターゲットセルの基地局２からハンドオーバ応答（HO Ack）のメッセージを受信すると、ハンドオーバ指示（Conditional HO command）のメッセージをユーザ端末１に送信する。
【００７５】
ユーザ端末１では、ソースセルの基地局２からハンドオーバ指示（Conditional HO command）のメッセージを受信すると、第２しきい値ＴｈＨＩＧＨを用いて、ハンドオーバを実行するタイミングか否かを判定する第２のイベント判定を行い、ターゲットセルの受信電力が第２のしきい値ＴｈＨＩＧＨ以上であると、ハンドオーバを実行し、同期およびランダムアクセス（Synchronization and random access）のメッセージをターゲットセルの基地局２に送信する。また、ハンドオーバ確認（HO confirm）のメッセージをターゲットセルの基地局２に送信する。
【００７６】
ターゲットセルの基地局２では、ユーザ端末１からハンドオーバ確認（HO confirm）のメッセージを受信すると、端末コンテキスト解放（UE Context Release）の指示を兼ねるハンドオーバ完了（HO completed）のメッセージをソースセルの基地局２に送信して、Ｘｎインタフェースを解放する。
【００７７】
このようにして、ハンドオーバが実行された直後に、Ｘｎインタフェースが解放されると、続いて、ユーザ端末１の接続先をターゲットセル（ハンドオーバが実行された後はソースセル）の基地局から、ソースセル（ハンドオーバが実行された後はターゲットセル）の基地局に戻すハンドオーバの準備が開始されてしまい、ユーザ端末１、ソースセルの基地局２、およびターゲットセルの基地局２の間で、ハンドオーバの準備に係るメッセージの送受信が行われ、無駄なメッセージの送受信により、無線通信や基地局間通信のリソースが無駄に消費される。
【００７８】
具体的には、ユーザ端末１では、ソースセルに関する測定報告（Measurement Report）のメッセージをターゲットセルの基地局２に送信し、これに応じて、ターゲットセルの基地局２では、ハンドオーバ要求（Early HO Request）のメッセージをソースセルの基地局２に送信し、これに応じて、ソースセルの基地局２では、ＲＲＣ設定（RRC config）の情報を含むハンドオーバ応答（HO Ack）のメッセージをソースセルの基地局２に送信し、これに応じて、ターゲットセルの基地局２では、ハンドオーバ指示（Conditional HO command）のメッセージをユーザ端末１に送信することになり、これらのメッセージの送受信により、無線通信や基地局間通信のリソースが無駄に消費される。
【００７９】
そこで、本実施形態では、ユーザ端末１に、即時にハンドオーバを実行できる状態（即時ハンドオーバ状態）を維持するタイミングを制御するタイマ１９（図５参照）を設け、また、基地局２に、Ｘｎインタフェースを解放するタイミングを制御するタイマ２６（図５参照）を設け、ハンドオーバが実行されると、ユーザ端末１および基地局２の各々でタイマ１９，２６を開始する。
【００８０】
また、ユーザ端末１は、Ｘｎインタフェースが維持されていて、測定報告（Measurement Report）のメッセージをユーザ端末１が送信しなくても、直ちにハンドオーバ可能な（即時ハンドオーバ状態にある）セルのリストであるハンドオーバ先候補リストを記憶部に記憶し、ユーザ端末１において、タイマ１９が満了すると、ハンドオーバ先候補リストからソースセル（ハンドオーバ前のセル）を削除し、基地局２において、タイマ２６が満了すると、ソースセル（ハンドオーバ前のセル）とのＸｎインタフェースを解放する。
【００８１】
これにより、ユーザ端末１では、タイマ１９が満了するまでは、ハンドオーバ先候補リストにソースセルが残ったままとなり、第１のイベント判定の対象からソースセルが除外されるため、ソースセル（ハンドオーバが実行された後はターゲットセル）の受信電力が第１のしきい値ＴｈＬＯＷ以上である場合でも、接続先をソースセルに戻すハンドオーバの準備が開始されず、ユーザ端末１から測定報告（Measurement Report）のメッセージが送信されない。また、基地局２では、ハンドオーバが実行されても、タイマ２６が満了するまでは、ソースセル（ハンドオーバが実行された後はターゲットセル）とのＸｎインタフェースを解放せず、測定報告（Measurement Report）のメッセージ等のハンドオーバの準備なしで、直ちにハンドオーバ可能な状態を保つ。
【００８２】
次に、第１実施形態に係る通信システムの動作手順について説明する。図４は、通信システムの動作手順を示すシーケンス図である。
【００８３】
ユーザ端末１からハンドオーバ確認（HO confirm）のメッセージをターゲットセルの基地局２に送信するまでは、高速ハンドオーバによる基本的な動作（図３参照）と同様である。
【００８４】
ユーザ端末１では、ハンドオーバ確認（HO confirm）のメッセージをターゲットセルの基地局２に送信すると、タイマ１９（図５参照）で計時を開始し、ハンドオーバ元のソースセルをハンドオーバ先候補に残したままとする過渡状態とする。そして、タイマ１９が満了すると、ソースセルをハンドオーバ先候補から除外する。
【００８５】
ターゲットセルの基地局２では、ユーザ端末１からハンドオーバ確認（HO confirm）のメッセージを受信すると、タイマ２６（図５参照）で計時を開始し、タイマ２６が満了すると、端末コンテキスト解放（UE Context Release）の指示を兼ねるハンドオーバ完了（HO completed）のメッセージをソースセルの基地局２に送信して、Ｘｎインタフェースを解放する。
【００８６】
次に、第１実施形態に係るユーザ端末１および基地局２の概略構成について説明する。図５は、ユーザ端末１および基地局２の概略構成を示すブロック図である。
【００８７】
ユーザ端末１は、無線通信部１１と、制御部１２と、記憶部１３と、を備えている。
【００８８】
無線通信部１１は、基地局２と無線通信を行う。
【００８９】
記憶部１３は、制御部１２を構成するプロセッサで実行されるプログラムを記憶する。また、記憶部１３は、測定した周辺セルの通信品質や、基地局２のＩＤや、制御部１２で用いられるしきい値や、ハンドオーバ先候補リストなどを記憶する。なお、ハンドオーバ先候補リストは、Ｘｎインタフェースで接続中の基地局２のセルＩＤを管理するものである。このハンドオーバ先候補リストは、ソースセルの基地局２から送信される高速ハンドオーバ命令（Conditional HO command）のメッセージに含まれるセルＩＤ（ハンドオーバの準備が完了したセルのＩＤ）を登録する。また、ハンドオーバ元のセルのＩＤを登録する。
【００９０】
制御部１２は、通信品質測定部１５と、ハンドオーバ制御部１６と、第１のイベント判定部１７と、第２のイベント判定部１８と、タイマ１９と、を備えている。この制御部１２は、プロセッサで構成され、制御部１２の各部は、記憶部１３に記憶されたプログラムをプロセッサで実行することで実現される。
【００９１】
通信品質測定部１５は、周辺セルの通信品質（受信電力）を測定する。
【００９２】
ハンドオーバ制御部１６は、第１のイベント判定部１７および第２のイベント判定部１８の判定結果に基づいて、高速ハンドオーバ（Conditional HO）に係る制御を行う。特に本実施形態では、高速ハンドオーバ（Conditional HO）の基本的な制御に加えて、タイマ１９の計時結果に基づいたハンドオーバ制御を行う。
【００９３】
第１のイベント判定部１７は、ターゲットセルの受信電力を第１のしきい値ＴｈＬＯＷと比較して、ハンドオーバの準備を開始するタイミングか否かを判定する第１のイベント判定を行い、受信電力が第１のしきい値ＴｈＬＯＷ以上であると、ハンドオーバ制御部１６がハンドオーバの準備を開始する。この第１のイベント判定は、ハンドオーバ先候補リストに記載されていないセルを対象に行われる。
【００９４】
第２のイベント判定部１８は、ターゲットセルの受信電力を第２のしきい値ＴｈＨＩＧＨと比較して、ハンドオーバを実行するタイミングか否かを判定する第２のイベント判定を行い、受信電力が第２のしきい値ＴｈＨＩＧＨ以上であると、ハンドオーバ制御部１６がハンドオーバを実行する。この第２のイベント判定は、ハンドオーバ先候補リストに記載されたセルを対象に行われる。
【００９５】
タイマ１９は、ハンドオーバを直ちに実行できる状態（即時ハンドオーバ状態）を維持するタイミングを制御するものであり、即時ハンドオーバ状態を終了するまでの残り時間（待機時間）、具体的には、ハンドオーバ元のソースセルをハンドオーバ先候補から除外するまでの残り時間を計時する。本実施形態では、ハンドオーバが実行されると、タイマ１９が開始され、タイマ１９が満了するまで、即時ハンドオーバ状態が維持され、タイマ１９が満了すると、即時ハンドオーバ状態が解除され、ハンドオーバの準備を必要とする状態となる。
【００９６】
タイマ１９の満了時間は、予め設定された固定値とすればよい。この場合、セル半径を基準にした所定距離、例えばセル半径の１／１０の距離だけ、セルの中心から遠ざかる方向にユーザ端末１が移動するのに要する時間を、タイマの満了時間に設定するとよい。
【００９７】
具体的には、ユーザ端末１を所持したユーザが徒歩で移動している場合を想定して、例えば、ユーザ端末１の移動速度を、人物の一般的な歩行速度である８０ｍ／ｍｉｎとし、セル半径を一般的な１．５ｋｍとすると、セル半径の１／１０の距離である１５０ｍだけユーザ端末１が移動するのに要する時間は約２分間となることから、タイマの満了時間を２分間に設定する。
【００９８】
また、タイマ１９の満了時間を、ユーザ端末１の移動速度、移動方向、セル半径などに基づいて設定して、状況に応じてタイマの満了時間が変化するようにしてもよい。
【００９９】
この場合、ユーザ端末１では、ＧＰＳなどの測位システムを利用して自装置の位置情報を取得して、その位置情報の推移状況に基づいて、自装置の移動速度および移動方向を取得するとともに、基地局２からセル半径などに関するセル情報を取得すればよい。また、基地局２は、ユーザ端末１の移動速度および移動方向をユーザ端末１から取得するとともに、自装置に記憶されたセル半径などに関するセル情報を取得すればよい。
【０１００】
なお、ユーザ端末１がソースセルの通信エリア外に移動した場合に、タイマの計時を中止して強制的に満了させるようにしてもよく、また、タイマの計時を継続するようにしてもよい。タイマの計時を中止するようにすると、Ｘｎインタフェースのリソースを低減することができる。一方、タイマの計時を継続するようにすると、ユーザ端末１がソースセルの通信エリア内に戻っても、測定報告（Measurement Report）のメッセージを送信しないため、無線ネットワークの負荷を軽減することができる。
【０１０１】
基地局２は、無線通信部２１（第１の通信部）と、有線通信部２２（第２の通信部）と、制御部２３と、記憶部２４と、を備えている。
【０１０２】
無線通信部２１は、ユーザ端末１と無線通信を行う。
【０１０３】
有線通信部２２は、他の基地局２と有線通信を行う。なお、有線通信部２２は無線通信部に置き換えることも可能である。
【０１０４】
記憶部２４は、制御部２３を構成するプロセッサで実行されるプログラムを記憶する。
【０１０５】
制御部２３は、ハンドオーバ制御部２５と、タイマ２６と、を備えている。この制御部２３は、プロセッサで構成され、制御部２３の各部は、記憶部２４に記憶されたプログラムをプロセッサで実行することで実現される。
【０１０６】
ハンドオーバ制御部２５は、高速ハンドオーバ（Conditional HO）に係る制御を行う。特に本実施形態では、高速ハンドオーバ（Conditional HO）の基本的な制御に加えて、タイマ１９の計時結果に基づいたハンドオーバ制御を行う。
【０１０７】
タイマ２６は、Ｘｎインタフェースを解放するタイミングを制御するものであり、Ｘｎインタフェース解放までの残り時間（待機時間）を計時する。本実施形態では、ハンドオーバが実行されると、タイマ２６が開始され、タイマ２６が満了するまで、Ｘｎインタフェースの解放が保留され、タイマ２６が満了すると、Ｘｎインタフェースを解放する。
【０１０８】
なお、タイマ２６の満了時間は、ユーザ端末１のタイマ１９と同様である。基地局２のタイマ２６とユーザ端末１のタイマ１９とは連動し、ユーザ端末１においてハンドオーバの準備を開始するタイミングと、基地局２においてＸｎインタフェースを解放するタイミングと、を整合させることができる。
【０１０９】
次に、ユーザ端末１における高速ハンドオーバの基本的な動作手順について説明する。図６は、ユーザ端末１における高速ハンドオーバの基本的な動作手順を示すフロー図である。
【０１１０】
ユーザ端末１では、まず、ハンドオーバ制御部１６において、記憶部１３のハンドオーバ先候補リストをクリアする（ＳＴ１０１）。このとき、全てのセルをハンドオーバ先候補リストから削除する。
【０１１１】
次に、通信品質測定部１５において、周辺セルの通信品質を測定する（ＳＴ１０２）。そして、第１のイベント判定部１７において、ハンドオーバ先候補リストに記載されていない周辺セル（ターゲットセル）を対象にして、受信電力Ｐが第１のしきい値ＴｈＬＯＷ以上か否かを判定する第１のイベント判定を行う（ＳＴ１０３）。
【０１１２】
ここで、受信電力Ｐが第１のしきい値ＴｈＬＯＷ以上である場合には（ＳＴ１０３でＹｅｓ）、ハンドオーバ制御部１６において、測定報告（Measurement Report）のメッセージを無線通信部１１からソースセルの基地局２に送信して（ＳＴ１０４）、ＳＴ１０５に進む。一方、受信電力Ｐが第１のしきい値ＴｈＬＯＷ未満である場合には（ＳＴ１０３でＮｏ）、測定報告（Measurement Report）のメッセージを送信する処理（ＳＴ１０４）は行わずに、ＳＴ１０５に進む。
【０１１３】
次に、ソースセルの基地局２から送信される高速ハンドオーバ命令（Conditional HO command）のメッセージを無線通信部１１で受信したか否かを判定する（ＳＴ１０５）。
【０１１４】
ここで、高速ハンドオーバ命令のメッセージを受信した場合には（ＳＴ１０５でＹｅｓ）、そのメッセージで通知されたターゲットセルをハンドオーバ先候補リストに追加して（ＳＴ１０６）、ＳＴ１０７に進む。一方、高速ハンドオーバ命令のメッセージを受信しない場合には（ＳＴ１０７でＮｏ）、ハンドオーバ先候補リストに追加する処理（ＳＴ１０６）は行わずに、ＳＴ１０７に進む。
【０１１５】
次に、第２のイベント判定部１８において、ハンドオーバ先候補リストに記載されている周辺セル（ターゲットセル）を対象にして、受信電力Ｐが第２のしきい値ＴｈＨＩＧＨ以上か否かを判定する第２のイベント判定を行う（ＳＴ１０７）。
【０１１６】
ここで、受信電力Ｐが第２のしきい値ＴｈＨＩＧＨ以上である場合には（ＳＴ１０７でＹｅｓ）、ハンドオーバ確認（HO confirm）のメッセージを無線通信部１１からターゲットセルの基地局２に送信してハンドオーバを実行する（ＳＴ１０８）。一方、受信電力Ｐが第２のしきい値ＴｈＨＩＧＨ未満である場合には（ＳＴ１０７でＮｏ）、ＳＴ１０２に戻る。
【０１１７】
次に、第１実施形態に係るユーザ端末１の動作手順について説明する。図７は、ユーザ端末１の動作手順を示すフロー図である。
【０１１８】
ユーザ端末１では、ハンドオーバが実行されると、まず、タイマ１９を開始する（ＳＴ１１１）。次に、記憶部１３のハンドオーバ先候補リストを更新する（ＳＴ１１２）。このとき、ソースセル（ハンドオーバ元のセル）をハンドオーバ先候補リストに残し、それ以外のセルをハンドオーバ先候補リストから削除する。そして、タイマ１９が満了したか否かを判定する（ＳＴ１１３）。
【０１１９】
ここで、タイマ１９が満了していない場合には（ＳＴ１１３でＮｏ）、ソースセルをハンドオーバ先候補から削除する処理（ＳＴ１１４）を行わずに、ＳＴ１０２に進む。以降のＳＴ１０２からＳＴ１０８は、高速ハンドオーバ（Conditional HO）の基本的な動作（図６参照）と同様である。
【０１２０】
このとき、ハンドオーバ元のソースセルは、ハンドオーバ先候補リストに残されたままであるため、第１のイベント判定（ＳＴ１０３）の対象から除外されるため、ソースセル（ハンドオーバが実行された後はターゲットセル）の受信電力Ｐが第１のしきい値ＴｈＬＯＷ以上となる場合でも、測定報告（Measurement Report）のメッセージは送信されない。
【０１２１】
一方、タイマ１９が満了した場合には（ＳＴ１１３でＹｅｓ）、ソースセルをハンドオーバ先候補から削除した上で（ＳＴ１１４）、ＳＴ１０２に進む。
【０１２２】
このとき、ハンドオーバ元のソースセルは、ハンドオーバ先候補リストに残されていないため、第１のイベント判定（ＳＴ１０３）の対象となるため、ソースセル（ハンドオーバが実行された後はターゲットセル）の受信電力Ｐが第１のしきい値ＴｈＬＯＷ以上となる場合には、測定報告（Measurement Report）のメッセージが送信される。
【０１２３】
次に、第１実施形態に係るターゲットセルの基地局２の動作手順について説明する。図８は、ターゲットセルの基地局２の動作手順を示すフロー図である。
【０１２４】
ターゲットセルの基地局２では、無線通信部２１において、ユーザ端末１からハンドオーバ確認（HO confirm）のメッセージを受信してハンドオーバが実行されると（ＳＴ２０１でＹｅｓ）、タイマ２６が計時を開始する（ＳＴ２０２）。
【０１２５】
そして、タイマ２６が満了すると（ＳＴ２０２でＹｅｓ）、端末コンテキスト解放（UE Context Release）の指示を兼ねるハンドオーバ完了（HO Complete）のメッセージを、有線通信部２２からソースセルの基地局２に送信して（ＳＴ２０４）、Ｘｎインタフェースを解放する（ＳＴ２０５）。
【０１２６】
（第１実施形態の第１変形例）
次に、第１実施形態の第１変形例について説明する。なお、ここで特に言及しない点は前記の実施形態と同様である。図９は、第１実施形態の第１変形例に係るユーザ端末１の動作手順を示すフロー図である。
【０１２７】
本変形例では、無線通信方式（ＲＡＴ）に応じてセルに優先度を設定して、優先度の高いセルをハンドオーバ先に選定するようにする。そして、ユーザ端末１において、ハンドオーバが実行されて、ハンドオーバ確認（HO confirm）のメッセージをターゲットセルの基地局２に送信した際に、ソースセルおよびターゲットセルの各優先度を比較して、タイマ１９を用いたタイミング制御を行うか否かを判定する。
【０１２８】
すなわち、ターゲットセルがソースセルより優先度が低い場合には、ユーザ端末１の接続先がソースセルに戻るハンドオーバが発生する確率が高いため、タイマ１９を動作させて、タイマ１９を用いたタイミング制御を行う。一方、ターゲットセルがソースセルより優先度が高い場合には、接続先がソースセルに戻るハンドオーバが発生する確率が低いため、タイマ１９を動作させず、高速ハンドオーバの基本的な制御を行う。
【０１２９】
具体的には、図９に示すように、まず、ターゲットセルがソースセルより優先度が高いか否かを判定する（ＳＴ１２１）。ここで、ターゲットセルがソースセルより優先度が高い場合には（ＳＴ１２１でＹｅｓ）、タイマ１９を用いない制御（ＳＴ１２２）に進む。一方、ターゲットセルがソースセルより優先度が低い場合には（ＳＴ１２１でＮｏ）、タイマ１９を用いた制御（ＳＴ１２３）に進む。
【０１３０】
タイマ１９を用いない制御（ＳＴ１２２）は、高速ハンドオーバ（Conditional HO）の基本的な動作（図６参照）と同様である。タイマ１９を用いた制御（ＳＴ１２３）は、第１実施形態（図７参照）と同様である。
【０１３１】
なお、ユーザ端末１がタイマ１９を用いない制御を行う場合には、ターゲットセルの基地局２もタイマ１９を用いない制御を行う。このとき、第１実施形態（図８）において実施されたタイマ２６の開始（ＳＴ２０２）およびタイマ２６の満了の判定（ＳＴ２０３）は行われない。すなわち、ユーザ端末１からハンドオーバ確認（HO confirm）のメッセージを受信すると（ＳＴ２０１でＹｅｓ）、端末コンテキスト解放（UE Context Release）の指示を兼ねるハンドオーバ完了（HO Complete）のメッセージをソースセルの基地局２に送信して（ＳＴ２０４）、Ｘｎインタフェースを解放する（ＳＴ２０５）。
【０１３２】
このように本実施形態では、ターゲットセルへのハンドオーバが実行されて、ユーザ端末１が現在接続中であるターゲットセルがソースセルより優先度が低い場合には、ユーザ端末１の接続先がソースセルに戻るハンドオーバが発生する確率が高いため、タイミング制御を行うことで、メッセージの送信頻度を低減することができる。
【０１３３】
なお、セルのＲＡＴ（無線通信方式）の種類（３Ｇ，ＬＴＥ，５Ｇなど）に応じて固定の優先度を設定すればよい。例えば、スモールセル（５Ｇ）の優先度をマクロセル（ＬＴＥ）より高く設定する。この場合、ＲＡＴごとの優先度を設定した優先度リストを予め作成して記憶部１３に記憶しておき、優先度リストに基づいて、対象となるセルの優先度をＲＡＴに応じて設定すればよい。
【０１３４】
また、ＲＡＴ以外の条件を加味して、状況に応じてセルの優先度が変化するようにしてもよい。例えば、セルに接続中のユーザ端末１が多い場合には優先度を下げるようにしてもよい。このようにすると、接続中のユーザ端末１が少ないセルに新規のユーザ端末１が振り分けられるため、セルの負荷を分散させることができる。
【０１３５】
（第１実施形態の第２変形例）
次に、第１実施形態の第２変形例について説明する。なお、ここで特に言及しない点は前記の実施形態と同様である。図１０は、第１実施形態の第２変形例に係る通信システムの動作手順を示すシーケンス図である。
【０１３６】
第１実施形態では、ターゲットセルの基地局２において、ユーザ端末１からハンドオーバ確認（HO confirm）のメッセージを受信すると、タイマ２６を開始して、タイマ２６が満了すると、端末コンテキスト解放（UE Context Release）の指示を兼ねるハンドオーバ完了（HO completed）のメッセージを、ソースセルの基地局２に送信して、Ｘｎインタフェースを解放するようにした。
【０１３７】
このとき、ソースセルの基地局２では、ターゲットセルの基地局２からハンドオーバ完了（HO completed）のメッセージを受信したタイミングで、Ｘｎインタフェースを解放するとともに、ハンドオーバ済みのユーザ端末１のコンテキストを解放し、同時に、ユーザ端末１に割り当てていた無線リソースを解放（Radio Resource Release）するなどの無線制御に関する処理を停止する。
【０１３８】
このように第１実施形態では、ソースセルの基地局２でのハンドオーバ済みのユーザ端末１の無線制御に関する処理の停止と、Ｘｎインタフェースの解放とが同時に実施される。このため、タイマ２６の満了期間が経過するまで、ソースセルの基地局２は、ハンドオーバ済みのユーザ端末１に割り当てた無線リソースを維持したままとなり、該当するユーザ端末１の無線制御に関する処理を継続するため、ソースセルの基地局２が余計なメッセージを送信し続ける。
【０１３９】
そこで、本変形例では、ハンドオーバ済みのユーザ端末１の無線制御に関する処理の停止と、Ｘｎインタフェースの解放と、を異なるタイミングで実施できるように、端末コンテキスト解放（UE Context Release）の指示を兼ねるハンドオーバ完了（HO completed）のメッセージを、２つのメッセージに分離する。
【０１４０】
すなわち、ハンドオーバが実行されたタイミングで、ターゲットセルの基地局２からソースセルの基地局２に、ハンドオーバによりユーザ端末１のハンドオーバ先が切り替わったことを通知するメッセージを送信して、ソースセルの基地局２において、該当するユーザ端末１の無線制御に関する処理を停止させ、その後、タイマ２６が満了すると、Ｘｎインタフェースの解放およびユーザ端末１のコンテキストの解放を指示するメッセージを送信する。
【０１４１】
具体的には、図１０に示すように、ターゲットセルの基地局２において、ユーザ端末１からハンドオーバ確認（HO confirm）のメッセージを受信すると、タイマ２６を開始するとともに、セル変更通知（cell changing information）のメッセージをソースセルの基地局２に送信する。
【０１４２】
ソースセルの基地局２では、ターゲットセルの基地局２からセル変更通知（cell changing information）のメッセージを受信すると、該当するユーザ端末１に対して割り当てていた無線リソースを解放（Radio Resource Release）するなどの無線制御に関する処理を停止する。
【０１４３】
そして、ターゲットセルの基地局２において、タイマ２６が満了すると、端末コンテキスト解放（UE Context Release）の指示を兼ねるハンドオーバ完了（HO completed）のメッセージを、ソースセルの基地局２に送信して、Ｘｎインタフェースを解放する。
【０１４４】
このように本変形例では、ユーザ端末１からハンドオーバ確認（HO confirm）のメッセージを受信したタイミングで、即座に、ソースセルの基地局２において、ハンドオーバによりハンドオーバ先が別のセルに切り替わったユーザ端末１の無線制御に関する処理を停止するため、ソースセルの基地局２が余計なメッセージを送信し続けることを避けることができる。
【０１４５】
（第２実施形態）
次に、第２実施形態について説明する。なお、ここで特に言及しない点は前記の実施形態と同様である。
【０１４６】
第１実施形態では、高速ハンドオーバ（Conditional HO）に係るイベントとして、ハンドオーバの準備を開始するタイミングを規定する第１のイベントと、ハンドオーバを実行するタイミングを規定する第２のイベントを設定したが、本実施形態では、Ｘｎインタフェースを解放するタイミングを規定する第３のイベントを設定して、その第３のイベントが発生した場合に、Ｘｎインタフェースを解放し、ハンドオーバが実行されても、第３のイベントが発生するまでは、ハンドオーバ元のセルとの間のＸｎインタフェースを解放しないようにする。
【０１４７】
特に本実施形態では、ユーザ端末１において、ハンドオーバ元のセルの通信品質の測定値、具体的には受信電力が第３のしきい値ＴｈＥＸＩＴ以下となる状態を、第３のイベントに設定し、受信電力が第３のしきい値ＴｈＥＸＩＴ以下であるか否かを判定する第３のイベント判定を行う。ハンドオーバ元のセルの受信電力が第３のしきい値ＴｈＥＸＩＴ以下となると、解放イベント発生報告のメッセージをユーザ端末１から接続中の基地局２に送信する。基地局２では、ユーザ端末１から解放イベント発生報告のメッセージを受信すると、Ｘｎインタフェースを解放する。
【０１４８】
なお、第３のしきい値ＴｈＥＸＩＴは、予め設定された固定値とすればよく、特に、ハンドオーバの準備を開始するタイミングか否かを判定するための第１のしきい値ＴｈＬＯＷより数ｄＢ（例えば５ｄＢ）小さい値に設定するとよい。
【０１４９】
次に、第２実施形態に係る通信システムの動作手順について説明する。図１１は、通信システムの動作手順を示すシーケンス図である。
【０１５０】
ユーザ端末１からハンドオーバ確認（HO confirm）のメッセージをターゲットセル（接続中のセル）の基地局２に送信するまでは、第１実施形態（図４参照）と同様である。
【０１５１】
ユーザ端末１では、ハンドオーバ確認（HO confirm）のメッセージをターゲットセルの基地局２に送信すると、ソースセル（ハンドオーバ元のセル）の受信電力がしきい値ＴｈＥＸＩＴ以下となるか否かを判定し、ソースセルの受信電力がしきい値ＴｈＥＸＩＴ以下となる場合には、解放イベント発生報告のメッセージをターゲットセルの基地局２に送信する。
【０１５２】
ターゲットセルの基地局２では、ユーザ端末１からハンドオーバ確認（HO confirm）のメッセージを受信した後に、解放イベント発生報告のメッセージを受信すると、端末コンテキスト解放（UE Context Release）の指示を兼ねるハンドオーバ完了（HO completed）のメッセージをソースセルの基地局２に送信して、Ｘｎインタフェースを解放する。
【０１５３】
次に、第２実施形態に係るユーザ端末１および基地局２の概略構成について説明する。図１２は、ユーザ端末１および基地局２の概略構成を示すブロック図である。
【０１５４】
ユーザ端末１の構成は、第１実施形態（図５参照）と略同様であるが、第１実施形態で制御部１２に設けられていたタイマ１９の代わりに、第３のイベント判定部３１が設けられている。
【０１５５】
この第３のイベント判定部３１は、ソースセル（ハンドオーバ元のセル）の受信電力を第３のしきい値ＴｈＥＸＩＴと比較して、Ｘｎインタフェースを解放するタイミングか否かを判定する第３のイベント判定を行い、ソースセルの受信電力が第３のしきい値ＴｈＥＸＩＴ以下であると、ハンドオーバ制御部１６が、解放イベント発生報告のメッセージを無線通信部１１からターゲットセルの基地局２に送信して、Ｘｎインタフェースの解放を指示する。この第３のイベント判定は、ハンドオーバ先候補リストに記載されたセルを対象に行われる。
【０１５６】
基地局２の構成も、第１実施形態（図５参照）と略同様であるが、第１実施形態で制御部２３に設けられていたタイマ２６が省略され、ハンドオーバ制御部２５は、ユーザ端末１から解放イベント発生報告のメッセージを無線通信部２１で受信すると、Ｘｎインタフェースを解放する。
【０１５７】
次に、第２実施形態に係るユーザ端末１の動作手順について説明する。図１３は、ユーザ端末１の動作手順を示すフロー図である。
【０１５８】
ユーザ端末１では、まず、ハンドオーバ制御部１６において、記憶部１３のハンドオーバ先候補リストを更新する（ＳＴ１１２）。このとき、ハンドオーバ元のセルをハンドオーバ先候補リストに残し、それ以外のセルをハンドオーバ先候補リストから削除する。次に、通信品質測定部１５において、周辺セルの通信品質を測定する（ＳＴ１０２）。そして、ハンドオーバ制御部１６において、ソースセルの受信電力Ｐがしきい値ＴｈＥＸＩＴ以下か否かを判定する第３のイベント判定を行う（ＳＴ１２１）。
【０１５９】
ここで、ソースセルの受信電力Ｐがしきい値ＴｈＥＸＩＴ以下である場合には（ＳＴ１２１でＹｅｓ）、ソースセルをハンドオーバ先候補リストから削除する（ＳＴ１１４）。そして、解放イベント発生報告のメッセージを無線通信部１１からターゲットセル（接続中のセル）の基地局２に送信して（ＳＴ１２２）、ＳＴ１０３に進む。
【０１６０】
一方、ソースセルの受信電力Ｐがしきい値ＴｈＥＸＩＴ未満である場合には（ＳＴ１２１でＮｏ）、ソースセルをハンドオーバ先候補リストから削除する処理（ＳＴ１１４）、および解放イベント発生報告のメッセージを送信する処理（ＳＴ１２２）を省略して、ＳＴ１０３に進む。
【０１６１】
以降のＳＴ１０３からＳＴ１０８は、第１実施形態（図７参照）と同様である。なお、第２のイベント判定で、ターゲットセルの受信電力Ｐが第２のしきい値ＴｈＨＩＧＨ未満である場合には（ＳＴ１０７でＮｏ）、ＳＴ１０２に戻る。
【０１６２】
このとき、第３のイベント判定（ＳＴ１２１）で、ソースセルの受信電力Ｐがしきい値ＴｈＥＸＩＴ超である場合（ＳＴ１２１でＮｏ）には、ソースセルがハンドオーバ先候補リストに残されたままであるため、第１のイベント判定（ＳＴ１０１）の対象から除外されるため、ソースセル（ハンドオーバが実行された後はターゲットセル）の受信電力Ｐが第１のしきい値ＴｈＬＯＷ以上である場合でも、測定報告（Measurement Report）のメッセージは送信されない。
【０１６３】
なお、第３のイベント判定で、受信電力が第３のしきい値ＴｈＥＸＩＴ以下となる判定結果が複数回連続した場合に、解放イベント発生報告のメッセージを送信するようにしてもよい。このように判定回数を増やすと、ハンドオーバのタイミングが遅くなるものの、セル間の境界にユーザ端末１が位置する場合や、遮蔽が発生した場合などで、受信電力が不安定に変動する場合に、接続先のセルが頻繁に切り替わることを避けることができる。
【０１６４】
次に、第２実施形態に係るターゲットセルの基地局２の動作手順について説明する。図１４は、ターゲットセルの基地局２の動作手順を示すフロー図である。
【０１６５】
ターゲットセルの基地局２では、無線通信部２１において、ユーザ端末１からハンドオーバ確認（HO confirm）のメッセージを受信し（ＳＴ２０１でＹｅｓ）、その後、ユーザ端末１から解放イベント発生報告のメッセージを受信すると（ＳＴ２１１でＹｅｓ）、端末コンテキスト解放（UE Context Release）の指示を兼ねるハンドオーバ完了（HO completed）のメッセージをソースセルの基地局２に送信して（ＳＴ２０４）、Ｘｎインタフェースを解放する（ＳＴ２０５）。
【０１６６】
なお、本実施形態では、ソースセル（ハンドオーバ元のセル）の受信電力が第３のしきい値ＴｈＥＸＩＴ以下となる状態を、Ｘｎインタフェースを解放するタイミングを規定する第３のイベントに設定したが、ソースセルの電波を受信できない状態を第３のイベントに設定して、ソースセルの電波を受信可能なエリア内にユーザ端末１が位置する場合にはＸｎインタフェースを維持し、ソースセルの電波を受信可能なエリア外にユーザ端末１が移動すると、Ｘｎインタフェースを解放するようにしてもよい。
【０１６７】
また、本実施形態でも、第１実施形態の第１変形例と同様に、セルの優先度に基づく制御を行うことができる。すなわち、ソースセルおよびターゲットセルの各優先度を比較して、第３のイベント判定を行うか否かを判定する。具体的には、ターゲットセルがソースセルより優先度が低い場合には、ソースセルに戻る確率が高いため、第３のイベント判定を行う。一方、ターゲットセルがソースセルより優先度が高い場合には、ソースセルに戻る確率が低いため、第３のイベント判定を行わず、高速ハンドオーバの基本的な制御を行う。この場合、第１実施形態の第１変形例と同様に、セルのＲＡＴ（無線通信方式）の種類（３Ｇ，ＬＴＥ，５Ｇなど）に応じて固定の優先度を設定すればよい。
【０１６８】
また、本実施形態でも、第１実施形態の第２変形例と同様に、無線制御に関する処理を停止させるためのセル変更通知（cell changing information）のメッセージと、端末コンテキスト解放（UE Context Release）の指示を兼ねるハンドオーバ完了（HO completed）のメッセージとを送信するようにしてもよい。
【０１６９】
また、本実施形態では、ユーザ端末１から解放イベント発生報告のメッセージを送信するようにしたが、解放イベント発生報告を兼ねる測定報告（Measurement Report）のメッセージを送信するようにしてもよい。
【０１７０】
（第３実施形態）
次に、第３実施形態について説明する。なお、ここで特に言及しない点は前記の実施形態と同様である。
【０１７１】
ソースセル（接続中のセル）の通信品質が十分に高い場合には、ハンドオーバを実行する必要がなく、さらに、ハンドオーバの準備を開始する必要もない。そこで、本実施形態では、ソースセルの通信品質が十分に高い場合には、ターゲットセルへのハンドオーバの準備を開始せず、ソースセルの通信品質が低下したタイミングで、ハンドオーバの準備を開始するようにする。
【０１７２】
次に、第３実施形態に係るユーザ端末１および基地局２の概略構成について説明する。図１５は、ユーザ端末１および基地局２の概略構成を示すブロック図である。
【０１７３】
ユーザ端末１の構成は、第１実施形態（図５参照）と略同様であるが、第１実施形態で制御部１２に設けられていたタイマ１９の代わりに、事前判定部４１が設けられている。
【０１７４】
この事前判定部４１は、ソースセルの受信電力を第２のしきい値ＴｈＨＩＧＨと比較して、ハンドオーバの準備を開始するタイミングか否かを判定する事前判定を行い、ソースセルの受信電力が第２のしきい値ＴｈＨＩＧＨ以上であると、ターゲットセルの受信電力が第１のしきい値ＴｈＬＯＷ以上となる場合でも、ハンドオーバの準備を開始しないようにする。
【０１７５】
基地局２の構成も、第１実施形態（図５参照）と略同様であるが、第１実施形態で制御部２３に設けられていたタイマ２６は省略されている。
【０１７６】
次に、第３実施形態に係るユーザ端末１の動作手順について説明する。図１６は、ユーザ端末１の動作手順を示すフロー図である。
【０１７７】
ユーザ端末１では、まず、ハンドオーバ制御部１６において、記憶部１３のハンドオーバ先候補リストをクリアする（ＳＴ１０１）。次に、通信品質測定部１５において、周辺セルの通信品質を測定する（ＳＴ１０２）。そして、事前判定部４１において、ソースセルの受信電力が第２のしきい値ＴｈＨＩＧＨ以上となるか否かを判定する事前判定を行う（ＳＴ１３１）。
【０１７８】
ここで、ソースセルの受信電力Ｐが第２のしきい値ＴｈＨＩＧＨ以上である場合には（ＳＴ１３１でＹｅｓ）、ＳＴ１０２に戻る。一方、ソースセルの受信電力Ｐが第２のしきい値ＴｈＨＩＧＨ未満である場合には（ＳＴ１３１でＮｏ）、ＳＴ１０３に進む。
【０１７９】
以降のＳＴ１０３からＳＴ１０８は、高速ハンドオーバの基本的な動作（図６参照）と同様である。
【０１８０】
このように本実施形態では、事前判定を行い、ソースセルの受信電力Ｐが第２のしきい値ＴｈＨＩＧＨ以上である場合には、ターゲットセルへのハンドオーバの準備が開始されず、ターゲットセルの受信電力が第１のしきい値ＴｈＬＯＷ以上となる場合でも、測定報告のメッセージが送信されない。これにより、メッセージの送信頻度を低減することができる。
【０１８１】
なお、本実施形態による構成を、第１実施形態による構成や第２実施形態による構成と組み合わせるようにしてもよい。これにより、メッセージの送信頻度をより一層低減することができる。
【０１８２】
（第３実施形態の第１変形例）
次に、第３実施形態の第１変形例について説明する。なお、ここで特に言及しない点は前記の実施形態と同様である。図１７は、第３実施形態の第１変形例に係るユーザ端末１の動作手順を示すフロー図である。
【０１８３】
ユーザ端末１が、優先度が高いセルに在圏している場合には、ソースセル（接続中のセル）の通信品質が十分に高いと、ハンドオーバの準備を開始する必要がないが、ユーザ端末１が、優先度が低いセルに在圏している場合には、優先度が高いセルへのハンドオーバを促進することが望まれるため、早期にハンドオーバの準備を開始するようにするとよい。
【０１８４】
そこで、本変形例では、ユーザ端末１が現在接続中のソースセルが、ハンドオーバ先のターゲットセルより優先度が高い場合には、事前判定を行い、ソースセルがターゲットセルより優先度が低い場合には、事前判定を行わないようにする。なお、優先度は、セルのＲＡＴ（無線通信方式）に応じて設定される。
【０１８５】
具体的には、図１７に示すように、まず、ソースセルがターゲットセルより優先度が高いか否かを判定する（ＳＴ１４１）。ここで、ソースセルがターゲットセルより優先度が低い場合には（ＳＴ１４１でＮｏ）、事前判定を行わない制御（ＳＴ１４２）に進み、ソースセルがターゲットセルより優先度が高い場合には（ＳＴ１４１でＹｅｓ）、事前判定を行う制御（ＳＴ１４３）に進む。
【０１８６】
事前判定を行わない制御（ＳＴ１４２）は、高速ハンドオーバ（Conditional HO）の基本的な動作（図６参照）と同様である。事前判定を行う制御（ＳＴ１４３）は、第３実施形態（図１６参照）と同様である。
【０１８７】
このように本変形例では、ソースセルの優先度が低いと、事前判定を行わないため、Ｘｎインタフェースの解放が早くなり、ソースセルの優先度が高いと、事前判定を行うため、Ｘｎインタフェースの解放が遅くなる。これにより、セルの優先度に応じてＸｎインタフェースのリソースを有効活用することができる。
【０１８８】
（第３実施形態の第２変形例）
次に、第３実施形態の第２変形例について説明する。なお、ここで特に言及しない点は前記の実施形態と同様である。図１８は、第３実施形態の第２変形例に係るユーザ端末１の動作手順を示すフロー図である。
【０１８９】
ユーザ端末１が現在接続中のソースセルが高周波数帯（高ＳＨＦ，ＥＨＦ等）のＲＡＴ（無線通信方式）である場合、遮蔽の影響を受けやすく、通信が切断されやすくなるが、急に通信が切断されると、高速ハンドオーバ（Conditional HO）の利点である、迅速にハンドオーバを実行する効果が失われる。一方、高周波数帯でないＲＡＴの場合（例えば、低ＳＨＦ、ＵＨＦ等）には、遮蔽の影響を受けにくいため、通信が切断されにくくなり、高速ハンドオーバ（Conditional HO）により、迅速なハンドオーバを確実に実行することができる。
【０１９０】
そこで、本変形例では、ソースセルが高周波数帯のＲＡＴである場合には、事前判定を行わず、ソースセルが高周波数帯のＲＡＴでない場合には、事前判定を行うようにする。
【０１９１】
具体的には、図１８に示すように、まず、ソースセルが高周波数帯のＲＡＴであるか否かを判定する（ＳＴ１５１）。ここで、ソースセルが高周波数帯のＲＡＴである場合には（ＳＴ１５１でＹｅｓ）、事前判定を行わない制御（ＳＴ１４２）に進み、ソースセルが高周波数帯のＲＡＴでない場合には（ＳＴ１５１でＮｏ）、事前判定を行う制御（ＳＴ１４３）に進む。
【０１９２】
このように本変形例では、ソースセルが高周波数帯のＲＡＴである場合に、事前判定を行わないため、ハンドオーバの準備が早期に開始される。これにより、遮蔽による通信の切断が起きやすい環境でも、円滑にハンドオーバを実行することができる。
【０１９３】
（第３実施形態の第３変形例）
次に、第３実施形態の第３変形例について説明する。なお、ここで特に言及しない点は前記の実施形態と同様である。図１９は、第３実施形態の第３変形例に係るユーザ端末１の動作手順を示すフロー図である。
【０１９４】
例えば、ユーザ端末１のユーザが高速鉄道に乗車して、ユーザ端末１が高速（例えば２００ｋｍ／ｈ以上）で移動している場合、ソースセル（接続中のセル）の受信電力が第１のしきい値ＴｈＬＯＷ未満となったタイミングから、ソースセルの通信エリア外にユーザ端末１が出てしまうまでの時間が短くなり、ターゲットセルへのハンドオーバの準備に十分な時間を確保できない。このため、ユーザ端末１が高速で移動している場合、ハンドオーバの準備を早期に開始することが望まれる。
【０１９５】
そこで、本変形例では、ユーザ端末１が所定速度より速く移動している場合には、事前判定を行わず、ユーザ端末１が所定速度より速く移動していない場合には、事前判定を行うようにする。
【０１９６】
具体的には、図１９に示すように、まず、ユーザ端末１の移動速度を取得して、ユーザ端末１の移動速度が所定速度以上であるか否かを判定する（ＳＴ１６１）。ここで、ユーザ端末１の移動速度が所定速度以上である場合には（ＳＴ１６１でＹｅｓ）、事前判定を行わない制御（ＳＴ１４２）に進み、ユーザ端末１の移動速度が所定速度未満である場合には（ＳＴ１６１でＮｏ）、事前判定を行う制御（ＳＴ１４３）に進む。
【０１９７】
このように本変形例では、ユーザ端末１が高速で移動している場合には、事前判定を行わないため、ハンドオーバの準備が早期に開始されることから、ハンドオーバが間に合わなくなることを避けることができ、ターゲットセルへのハンドオーバを円滑に行うことができる。
【０１９８】
（第３実施形態の第４変形例）
次に、第３実施形態の第４変形例について説明する。なお、ここで特に言及しない点は前記の実施形態と同様である。図２０は、第３実施形態の第４変形例に係るユーザ端末１の動作手順を示すフロー図である。
【０１９９】
ソースセル（接続中のセル）の通信品質が十分に高く、同時に、ターゲットセルの通信品質も十分に高い場合がある。この場合、ターゲットセルへのハンドオーバの準備を早期に開始して、ソースセルの通信品質が低下したタイミングで、即座に、ターゲットセルへのハンドオーバが実行されるようにするとよい。
【０２００】
そこで、本変形例では、ソースセルの受信電力が第２のしきい値ＴｈＨＩＧＨ以上でも、ターゲットセルの受信電力が第２のしきい値ＴｈＨＩＧＨ以上である場合に、ハンドオーバの準備を開始して、測定報告のメッセージを送信するようにする。
【０２０１】
具体的には、図２０に示すように、まず、第３実施形態（図１６参照）と同様に、ハンドオーバ先候補リストのクリア（ＳＴ１０１）、通信品質の測定（ＳＴ１０２）、および事前判定（ＳＴ１３１）を行う。そして、ソースセルの受信電力Ｐが第２のしきい値ＴｈＨＩＧＨ未満である場合には（ＳＴ１３１でＮｏ）、ＳＴ１０３に進む。
【０２０２】
一方、ソースセルの受信電力Ｐが第２のしきい値ＴｈＨＩＧＨ以上である場合には（ＳＴ１３１でＹｅｓ）、次に、ターゲットセルの受信電力が第２のしきい値ＴｈＨＩＧＨ以上であるか否かを判定する（ＳＴ１７１）。
【０２０３】
ここで、ターゲットセルの受信電力が第２のしきい値ＴｈＨＩＧＨ以上である場合には（ＳＴ１７１でＹｅｓ）、ＳＴ１０３に進む。一方、ターゲットセルの受信電力が第２のしきい値ＴｈＨＩＧＨ未満である場合には（ＳＴ１７１でＮｏ）、ハンドオーバの準備を開始しないので、ＳＴ１０２に戻る。
【０２０４】
以降のＳＴ１０３からＳＴ１０８は、第３実施形態（図１６参照）と同様である。ここでは、ターゲットセルの受信電力は第２のしきい値ＴｈＨＩＧＨ以上であるので、測定報告（Measurement Report）のメッセージの送信（ＳＴ１０４）、ハンドオーバ確認（HO confirm）のメッセージの送信（ＳＴ１０８）が行われることになる。
【０２０５】
このように本変形例では、ソースセルの測定値が第２のしきい値ＴｈＨＩＧＨ以上となる場合でも、ターゲットセルの測定値が第２のしきい値ＴｈＨＩＧＨ以上となる場合には、ハンドオーバの準備を開始する。このため、ソースセルの受信電力が第２のしきい値ＴｈＨＩＧＨ未満になると、即座に、ターゲットセルへのハンドオーバが実行され、通信状況に応じた迅速なハンドオーバを行うことができる。
【０２０６】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【産業上の利用可能性】
【０２０７】
本発明に係る移動端末装置、基地局装置、通信システムおよび通信制御方法は、高速ハンドオーバを採用した場合でも、メッセージの送信頻度が増加することを抑えることができる効果を有し、ソースセルの基地局装置からターゲットセルの基地局装置に接続先を切り換えるハンドオーバを行う移動端末装置、ハンドオーバにより移動端末装置の接続先が他の基地局装置と自装置との間で切り換えられる基地局装置、移動端末装置の接続先をソースセルの基地局装置からターゲットセルの基地局装置に切り換えるハンドオーバを行う通信システムおよび通信制御方法などとして有用である。
【符号の説明】
【０２０８】
１  ユーザ端末（移動端末装置）
２  基地局（基地局装置）
１１  無線通信部
１２  制御部
１３  記憶部
２１  無線通信部（第１の通信部）
２２  有線通信部（第２の通信部）
２３  制御部
２４  記憶部
【図１】
2019110381.tif 000003
【図２】
2019110381.tif 000004
【図３】
2019110381.tif 000005
【図４】
2019110381.tif 000006
【図５】
2019110381.tif 000007
【図６】
2019110381.tif 000008
【図７】
2019110381.tif 000009
【図８】
2019110381.tif 000010
【図９】
2019110381.tif 000011
【図１０】
2019110381.tif 000012
【図１１】
2019110381.tif 000013
【図１２】
2019110381.tif 000014
【図１３】
2019110381.tif 000015
【図１４】
2019110381.tif 000016
【図１５】
2019110381.tif 000017
【図１６】
2019110381.tif 000018
【図１７】
2019110381.tif 000019
【図１８】
2019110381.tif 000020
【図１９】
2019110381.tif 000021
【図２０】
2019110381.tif 000022